【手続補正書】
【提出日】平成16年8月20日(2004.8.20)
【手続補正１】
【補正対象書類名】明細書
【補正対象項目名】発明の名称
【補正方法】変更
【補正の内容】
【発明の名称】オーディオ信号のエンコード方法、オーディオ信号送信受信方法及びコンピュータプログラムの記録媒体
【手続補正２】
【補正対象書類名】明細書
【補正対象項目名】特許請求の範囲
【補正方法】変更
【補正の内容】
【特許請求の範囲】
【請求項１】
アナログオーディオ信号をＡ／Ｄ変換してオーディオデータを生成するステップと、
前記オーディオデータを有するオーディオパックからなるオーディオタイトルセット（ＡＴＳ）と、前記オーディオデータに関するスチルピクチャデータを有するスチルピクチャパックからなるスチルピクチャセット（ＳＰＳ）とを有し、
前記ＳＰＳは複数のスチルピクチャオブジェクト（ＳＰＯＢ）と前記スチルピクチャオブジェクト（ＳＰＯＢ）を再生するためのスタートアドレスマップを有するスチルピクチャインフォメーション（ＳＰＳＩ；ＡＳＶＳＩともいう）とを含み、
前記スチルピクチャオブジェクト（ＳＰＯＢ）は、
スチルピクチャのボタン操作用ハイライトデータからなるハイライトパック及びボタン表示用サブピクチャデータからなるサブピクチャパックを実質的に有さず、前記スチルピクチャデータからなるスチルピクチャパックを有する第１のスチルピクチャオブジェクト（ＳＰＯＢ）と、
前記ハイライトパック及びサブピクチャパックとスチルピクチャパックを有する第２のスチルピクチャオブジェクト（ＳＰＯＢ）の２種類で構成されており、
前記スチルピクチャインフォメーション（ＳＰＳＩ）は前記第２のスチルピクチャオブジェクト（ＳＰＯＢ）のサブピクチャデータをデコードするためのパレット情報（ＡＳＶＯＢＳサブピクチャパレット）を有しており、
さらに、前記オーディオタイトルセット（ＡＴＳ）が前記スチルピクチャデータをページ制御する制御情報であってシーケンシャル再生モード（シーケンシャル）とランダム再生モード（ランダム）を識別するためのモード情報（ディスプレイオーダーモード）を含む制御情報（ＳＰＣＩＴ）を含むオーディオタイトルセット・インフォメーション（ＡＴＳＩ）を有している、
データ構造であって、
前記サブピクチャパックがパックヘッダとサブピクチャパケットを有し、前記サブピクチャパケットがパケットヘッダとサブピクチャデータを有し、前記サブピクチャパックが前記第１のスチルピクチャオブジェクト（ＳＰＯＢ）又は第２のスチルピクチャオブジェクト（ＳＰＯＢ）の最初のサブピクチャパックである場合に、その旨を示す情報がそのパックのパケットヘッダに収納されており、さらに、前記制御情報（ＳＰＣＩＴ）には各スチルピクチャのスタート時のエフェクトモードとそのエフェクト期間をそれぞれ表すスタートエフェクトモードとスタートエフェクト期間を含むデータ構造にフォーマット化するステップと、
を有するオーディオ信号のエンコード方法。
【請求項２】
請求項１に記載のオーディオ信号のエンコード方法によりエンコードされて生成されたデータ構造のデータを送信または受信するオーディオ信号送信受信方法であって、前記データを所定の通信フォーマットに変換して送信し、または前記所定の通信フォーマットに変換されたデータを受信して元のデータに復元するステップを有するオーディオ信号送信受信方法。
【請求項３】
請求項１に記載のオーディオ信号のエンコード方法によりエンコードされて生成されたデータ構造が記録されたデータをデコードするコンピュータプログラムが記録されたコンピュータプログラムの記録媒体であって、
前記スチルピクチャインフォメーション（ＳＰＳＩ；ＡＳＶＳＩともいう）に配置される前記第２のスチルピクチャオブジェクト（ＳＰＯＢ）のサブピクチャを復元するためのパレット情報（ＡＳＶＯＢＳサブピクチャパレット）をデコードする第１のデコードのステップと、
前記第２のスチルピクチャオブジェクト（ＳＰＯＢ）に配置されるハイライトパック及びサブピクチャパックとスチルピクチャパックからハイライトデータ、サブピクチャデータ及びスチルピクチャデータをデコードする第２のデコードのステップと、
前記制御情報（ＳＰＣＩＴ）から前記シーケンシャル再生モード（シーケンシャル）とランダム再生モード（ランダム）を識別するためのモードデータ（ディスプレイオーダーモード）と各スチルピクチャのスタートエフェクトモードとスタートエフェクト期間をデコードする第３のデコードのステップと、
少なくとも前記第１のデコードのステップから取り出されたパレット情報（ＡＳＶＯＢＳサブピクチャパレット）に基づいて、前記第２のデコードのステップで取り出されたサブピクチャデータを復元してハイライトデータとスチルピクチャデータと共に出力し、前記スチルピクチャデータの再生を前記第３のデコードのステップで取り出されたモードデータにより制御するステップと、
各スチルピクチャのスタート時のエフェクトモードとそのエフェクト期間を前記第３のデコードのステップで取り出されたスタートエフェクトモードとスタートエフェクト期間により制御するステップとを、
有するコンピュータプログラムの記録媒体。
【手続補正３】
【補正対象書類名】明細書
【補正対象項目名】０００１
【補正方法】変更
【補正の内容】
【０００１】
【発明の属する技術分野】本発明は、オーディオ信号のエンコード方法、オーディオ信号送信受信方法及びコンピュータプログラムの記録媒体に関する。
【手続補正４】
【補正対象書類名】明細書
【補正対象項目名】０００６
【補正方法】変更
【補正の内容】
【０００６】
そこで、本発明は、オーディオ信号を主として記録する場合にユーザにとって簡易に再生することができて使い勝手がよく、また、実時間の管理を簡単にすることができるオーディオ信号のエンコード方法、オーディオ信号送信受信方法及びコンピュータプログラムの記録媒体を提供することを目的とする。
【手続補正５】
【補正対象書類名】明細書
【補正対象項目名】０００７
【補正方法】変更
【補正の内容】
【０００７】
【課題を解決するための手段】
本発明は上記目的を達成するために、以下の１）〜３）に記載の手段よりなる。
すなわち、
【手続補正６】
【補正対象書類名】明細書
【補正対象項目名】０００８
【補正方法】変更
【補正の内容】
【０００８】
１）アナログオーディオ信号をＡ／Ｄ変換してオーディオデータを生成するステップと、
前記オーディオデータを有するオーディオパックからなるオーディオタイトルセット（ＡＴＳ）と、前記オーディオデータに関するスチルピクチャデータを有するスチルピクチャパックからなるスチルピクチャセット（ＳＰＳ）とを有し、
前記ＳＰＳは複数のスチルピクチャオブジェクト（ＳＰＯＢ）と前記スチルピクチャオブジェクト（ＳＰＯＢ）を再生するためのスタートアドレスマップを有するスチルピクチャインフォメーション（ＳＰＳＩ；ＡＳＶＳＩともいう）とを含み、
前記スチルピクチャオブジェクト（ＳＰＯＢ）は、
スチルピクチャのボタン操作用ハイライトデータからなるハイライトパック及びボタン表示用サブピクチャデータからなるサブピクチャパックを実質的に有さず、前記スチルピクチャデータからなるスチルピクチャパックを有する第１のスチルピクチャオブジェクト（ＳＰＯＢ）と、
前記ハイライトパック及びサブピクチャパックとスチルピクチャパックを有する第２のスチルピクチャオブジェクト（ＳＰＯＢ）の２種類で構成されており、
前記スチルピクチャインフォメーション（ＳＰＳＩ）は前記第２のスチルピクチャオブジェクト（ＳＰＯＢ）のサブピクチャデータをデコードするためのパレット情報（ＡＳＶＯＢＳサブピクチャパレット）を有しており、
さらに、前記オーディオタイトルセット（ＡＴＳ）が前記スチルピクチャデータをページ制御する制御情報であってシーケンシャル再生モード（シーケンシャル）とランダム再生モード（ランダム）を識別するためのモード情報（ディスプレイオーダーモード）を含む制御情報（ＳＰＣＩＴ）を含むオーディオタイトルセット・インフォメーション（ＡＴＳＩ）を有している、
データ構造であって、
前記サブピクチャパックがパックヘッダとサブピクチャパケットを有し、前記サブピクチャパケットがパケットヘッダとサブピクチャデータを有し、前記サブピクチャパックが前記第１のスチルピクチャオブジェクト（ＳＰＯＢ）又は第２のスチルピクチャオブジェクト（ＳＰＯＢ）の最初のサブピクチャパックである場合に、その旨を示す情報がそのパックのパケットヘッダに収納されており、さらに、前記制御情報（ＳＰＣＩＴ）には各スチルピクチャのスタート時のエフェクトモードとそのエフェクト期間をそれぞれ表すスタートエフェクトモードとスタートエフェクト期間を含むデータ構造にフォーマット化するステップと、
を有するオーディオ信号のエンコード方法。
２）１）に記載のオーディオ信号のエンコード方法によりエンコードされて生成されたデータ構造のデータを送信または受信するオーディオ信号送信受信方法であって、前記データを所定の通信フォーマットに変換して送信し、または前記所定の通信フォーマットに変換されたデータを受信して元のデータに復元するステップ有するオーディオ信号送信受信方法。
３）１）に記載のオーディオ信号のエンコード方法によりエンコードされて生成されたデータ構造が記録されたデータをデコードするコンピュータプログラムが記録されたコンピュータプログラムの記録媒体であって、
前記スチルピクチャインフォメーション（ＳＰＳＩ；ＡＳＶＳＩともいう）に配置される前記第２のスチルピクチャオブジェクト（ＳＰＯＢ）のサブピクチャを復元するためのパレット情報（ＡＳＶＯＢＳサブピクチャパレット）をデコードする第１のデコードのステップと、
前記第２のスチルピクチャオブジェクト（ＳＰＯＢ）に配置されるハイライトパック及びサブピクチャパックとスチルピクチャパックからハイライトデータ、サブピクチャデータ及びスチルピクチャデータをデコードする第２のデコードのステップと、
前記制御情報（ＳＰＣＩＴ）から前記シーケンシャル再生モード（シーケンシャル）とランダム再生モード（ランダム）を識別するためのモードデータ（ディスプレイオーダーモード）と各スチルピクチャのスタートエフェクトモードとスタートエフェクト期間をデコードする第３のデコードのステップと、
少なくとも前記第１のデコードのステップから取り出されたパレット情報（ＡＳＶＯＢＳサブピクチャパレット）に基づいて、前記第２のデコードのステップで取り出されたサブピクチャデータを復元してハイライトデータとスチルピクチャデータと共に出力し、前記スチルピクチャデータの再生を前記第３のデコードのステップで取り出されたモードデータにより制御するステップと、
各スチルピクチャのスタート時のエフェクトモードとそのエフェクト期間を前記第３のデコードのステップで取り出されたスタートエフェクトモードとスタートエフェクト期間により制御するステップとを、
有するコンピュータプログラムの記録媒体。